(57)【要約】【課題】  構造材や照明器具などの各種部材をサンドイッチパネルに容易に接合可能にし、用途の幅を広げてその利用を促進できるサンドイッチパネルを提供する。【解決手段】  対向する一対の金属外皮２の間に芯材３を充填したサンドイッチパネル１である。少なくとも一方の金属外皮２の表面に係合溝４を凹設する。係合溝４の奥部に開口部４ａよりも幅広の幅広部４ｂを形成する。ボルト５の頭部５ａを係合溝４の幅広部４ｂに溝長さ方向にスライド自在に係止する。ボルト５の軸部５ｂを係合溝４の開口部４ａから金属外皮２の外方に突出させる。【選択図】        図１
2006009320.tif 000002
【特許請求の範囲】
【請求項１】
対向する一対の金属外皮の間に芯材を充填したサンドイッチパネルであって、少なくとも一方の金属外皮の表面に係合溝を凹設し、この係合溝の奥部に開口部よりも幅広の幅広部を形成し、ボルトの頭部を係合溝の幅広部に溝長さ方向にスライド自在に係止し、ボルトの軸部を係合溝の開口部から金属外皮の外方に突出させたことを特徴とするサンドイッチパネル。
【請求項２】
上記係合溝の形状を、幅広部に開口部に連なる幅狭部を連設してなる断面Ｌ字状に形成したことを特徴とする請求項１記載のサンドイッチパネル。
【請求項３】
上記係合溝の形状を、幅広部に開口部に連なる幅狭部を連設してなる断面Ｔ字状に形成したことを特徴とする請求項１記載のサンドイッチパネル。
【発明の詳細な説明】
【技術分野】
【０００１】
本発明は、サンドイッチパネルに関するものである。
【背景技術】
【０００２】
従来から、対向する一対の金属外皮２の間に芯材３を充填してなるサンドイッチパネル１が知られている。このサンドイッチパネル１は柱５２や胴縁５３などの建物躯体に取り付けることで、壁面材などの建築要素として用いられている。たとえば図９にはサンドイッチパネル１の上下端面に嵌合凸部６や嵌合凹部７が形成され、上下に隣接するサンドイッチパネル１同士を上記嵌合凸部６と嵌合凹部７との凹凸嵌合にて接続し、この凹凸嵌合部に取付具５０を介装させてこの取付具５０を柱５２に固定することで、サンドイッチパネル１を柱５２に取付けて壁面を形成させている（たとえば、特許文献１参照）。また、図１０では、サンドイッチパネル１の上下端面に嵌合凹部７をそれぞれ形成し、取付具５１を上下に隣接するサンドイッチパネル１間で対向する各嵌合凹部７にそれぞれ嵌合させることで上下に隣接するサンドイッチパネル１同士を接続させ、この取付具５１を胴縁５３に固定したことでサンドイッチパネル１を胴縁５３に取付けて壁面を形成させている（特許文献２参照）。このように、サンドイッチパネル１は取付具５０や取付具５１を用いて柱５２や胴縁５３などの構造材に取付けられていた。
【０００３】
ところで、サンドイッチパネル１はその使用形態によって柱５２や胴縁５３などの構造材のほかにも照明器具などの各種部材Ａが接合される場合がある。しかしながら、サンドイッチパネル１への各種部材Ａの接合には上記取付け具５０，５１のような各種部材Ａに応じた専用の取付具が必要とされるのである。このようにサンドイッチパネル１と各種部材Ａとの接合には汎用性がないためにサンドイッチパネル１の使用には制約があり、これがためにサンドイッチパネル１の用途を広げることができなく、自由な発想でのサンドイッチパネル１の利用が図られていないのであった。
【特許文献１】特開２００２−２６６４９０号公報
【特許文献２】特開平１０−３２５２２８号公報
【発明の開示】
【発明が解決しようとする課題】
【０００４】
本発明は上記の従来の問題点に鑑みてなされたものであって、構造材や照明器具などの各種部材をサンドイッチパネルに容易に接合可能にし、用途の幅を広げてその利用を促進できるサンドイッチパネルを提供することを課題とするものである。
【課題を解決するための手段】
【０００５】
上記課題を解決するために本発明の請求項１に係るサンドイッチパネルは、対向する一対の金属外皮２の間に芯材３を充填したサンドイッチパネル１であって、少なくとも一方の金属外皮２の表面に係合溝４を凹設し、この係合溝４の奥部に開口部４ａよりも幅広の幅広部４ｂを形成し、ボルト５の頭部５ａを係合溝４の幅広部４ｂに溝長さ方向にスライド自在に係止し、ボルト５の軸部５ｂを係合溝４の開口部４ａから金属外皮２の外方に突出させたことを特徴とする。これによると、一般に機械的接合に用いられるボルト５の軸部５ｂをサンドイッチパネル１の金属外皮２の表面から突出させたことで、このボルト５の軸部５ｂを利用して構造材や照明器具などの各種部材Ａをサンドイッチパネル１に容易に接合することができるのであり、しかもこのボルト５は係合溝４の溝長さ方向にスライド自在にサンドイッチパネル１に装着されているので、各種部材Ａのサンドイッチパネル１への接合位置の自由度が向上されているのであり、したがって、各種部材Ａとサンドイッチパネル１との接合を接合場所の自由度をもたせて汎用性良く容易に行わせることができ、用途の幅を広げるように自由な発想でのサンドイッチパネル１の利用を図ることができるのである。
【０００６】
また、上記係合溝４の形状を、幅広部４ｂに開口部４ａに連なる幅狭部４ｃを連設してなる断面Ｌ字状に形成したことも好ましく、これによると、たとえば係合溝４の溝長さ方向を略水平にすると共に断面Ｌ字状の係合溝４の幅広部４ｂの上端面を幅狭部４ｃの上端面よりも上方に位置させて係合溝４の形状を縦断面Ｌ字状にした場合には、係合溝４内の下端面（幅広部４ｂ及び幅狭部４ｃの下端面）は面一状態となって係合溝４内で下方に凹没する凹所が形成されず、したがって、係合溝４内に水が滞留することが防止できるのであって、サンドイッチパネル１を建物の外壁関係の材料として好適に用いることができるのである。
【０００７】
また、上記係合溝４の形状を、幅広部４ｂに開口部４ａに連なる幅狭部４ｃを連設してなる断面Ｔ字状に形成したことも好ましく、これによると、係合溝４の断面形状がボルト５の頭部５ａ近傍の断面形状と同様であるから、係合溝４内にボルト５を直接係止させることができ、したがって、ボルト５をサンドイッチパネル１に簡単な構造で装着することができるのである。
【発明の効果】
【０００８】
本発明の請求項１記載の発明にあっては、対向する一対の金属外皮の間に芯材を充填したサンドイッチパネルであって、少なくとも一方の金属外皮の表面に係合溝を凹設し、この係合溝の奥部に開口部よりも幅広の幅広部を形成し、ボルトの頭部を係合溝の幅広部に溝長さ方向にスライド自在に係止し、ボルトの軸部を係合溝の開口部から金属外皮の外方に突出させたので、一般に機械的接合に用いられるボルトの軸部をサンドイッチパネルの金属外皮の表面から突出させてこのボルトの軸部を利用して構造材や照明器具などの各種部材をサンドイッチパネルに容易に接合することができるのであり、しかもこのボルトは係合溝の溝長さ方向にスライド自在にサンドイッチパネルに装着されているから、各種部材のサンドイッチパネルへの接合位置の自由度が向上しているのであり、したがって、各種部材とサンドイッチパネルとの接合を接合場所の自由度を持たせて汎用性良く容易に行わせることができ、用途を広げるように自由な発想でのサンドイッチパネルの利用を図ることができるのである。
【０００９】
本発明の請求項２記載の発明にあっては、請求項１の効果に加えて、係合溝の形状を、幅広部に開口部に連なる幅狭部を連設してなる断面Ｌ字状に形成したので、たとえば係合溝の溝長さ方向を略水平にすると共に断面Ｌ字状の係合溝の幅広部の上端面を幅狭部の上端面よりも上方に位置させ、係合溝の形状を縦断面Ｌ字状にした場合には、係合溝内の下端面（幅広部及び幅狭部の下端面）は面一状態となって係合溝内で下方に凹没する凹所が形成されず、したがって、係合溝内に水が滞留することが防止できるのであって、サンドイッチパネルを建物の外壁関係の材料として好適に用いることができるのである。
【００１０】
本発明の請求項３記載の発明にあっては、請求項１の効果に加えて、係合溝の形状を、幅広部に開口部に連なる幅狭部を連設してなる断面Ｔ字状に形成したので、係合溝の断面形状がボルトの頭部近傍の断面形状と同様にでき、係合溝内にボルトを直接係止させることができ、したがって、ボルトをサンドイッチパネルに簡単な構造で装着することができるのである。
【発明を実施するための最良の形態】
【００１１】
以下、本発明を添付図面に示す実施形態に基いて説明する。
【００１２】
図１及び図２には本発明の実施の形態の例を示す。この例は、タイルの乾式工法の一例であり、サンドイッチパネル１をタイル外装材８の貼付下地材１０として用いた例である。以下、詳述する。
【００１３】
サンドイッチパネル１は、表面及び裏面にそれぞれ金属外皮２が隙間を隔てて対向配置され、この対向する一対の金属外皮２の間の隙間にロックウールのような無機質材料やウレタン発泡体のような樹脂発泡材料などの断熱材である芯材３を充填して主体が形成されたものであり、サンドイッチパネル１の四周の側端面のうち一対の対向端面には嵌合凸部６と嵌合凸部７とが形成され、また対向する金属外皮２のうちの一方の金属外皮２の表面には係合溝４が凹設され、この係合溝４には構造材や照明器具などの各種部材Ａに接合させるためのボルト５が溝長さ方向にスライド自在に装着されている。
【００１４】
ここで、嵌合凸部６は隣接するサンドイッチパネル１の嵌合凸部７に嵌め込まれて凹凸嵌合することで、隣接したサンドイッチパネル１同士を接続させる部位である。なお、嵌合凹部７の内部にはパッキン４４が配設されており、嵌合凸部６と嵌合凹部７とが凹凸嵌合した際にはパッキン４４によって隣接するサンドイッチパネル１同士が水密的に接続されるようになっている。また、係合溝４は、金属外皮２の表面に臨んだ開口部４ａを有し、開口部４ａからサンドイッチパネル１の内方に略垂直に凹設した幅狭部４ｃを有し、この幅狭部４ｃの奥部に側方に溝幅を広げるような幅広部４ｂを有して形成されている。なお、この係合溝４は、嵌合凸部６及び嵌合凸部７が形成されないサンドイッチパネル１の側端面の間に亙るように形成されるのであり、嵌合凸部６及び嵌合凸部７が形成されるサンドイッチパネル１の側端面の間に所定の間隔をあけて複数条設けられている。また、ボルト５は、その頭部５ａを係合溝４の幅広部４ｂに溝長さ方向にスライド自在に係止し、その軸部５ｂを係合溝４の幅狭部４ｃに挿通させて係合溝４の開口部４ａから金属外皮２の外方に突出させるようにして、係合溝４に装着されている。
【００１５】
なお、係合溝４の溝表面も金属外皮２で覆われている。つまり金属外皮２には係合溝４の溝形状が施されている。鋼鈑などの金属板で構成される金属外皮２に係合溝４の溝形状を施すには、たとえば金属外皮２を一枚の金属板で構成してこの一枚の金属板に上記係合溝４の溝形状全てを曲げ加工にて形成させてもよいが、複雑な曲げ加工に伴って上昇しがちな製造コストの低廉化を図るために、本例のように金属外皮２を複数枚の金属板２Ａで構成し、各金属板２Ａに係合溝４の溝形状の一部を形成し、係合溝４の内部で各金属板２Ａの端部を継ぎ合わせて行わせてもよい。各金属板２Ａの継ぎ合わせはたとえばシーム溶接やかしめなどで行われるのであり、この金属板２Ａの継ぎ合わせ部位は外方に露出しない係合溝４の内部に位置されるので、サンドイッチパネル１の良好な外観の確保が図られている。また、金属外皮２を比較的加工が容易なたとえばアルミニウムなどの金属材で形成させる場合には係合溝４の溝形状全てを押出し成形によって一気に形成させることも好ましく、この場合には、複雑な曲げ加工を施すことがないので製造コストの低廉化や良好な製造性を確保できるのである。
【００１６】
石材やタイル材などの外装仕上材を乾式工法で配設するにあたり、上記サンドイッチパネル１をタイル外装材８の貼付下地材１０として用いる場合には、図１及び図２のように、サンドイッチパネル１を壁下地４５の屋外側に上下左右に並べて配置する。このときサンドイッチパネル１は立設した状態で左右に嵌合凸部６や嵌合凹部７を位置させるように配置されており、左右に隣接するサンドイッチパネル１同士は嵌合凸部６と嵌合凹部７との凹凸嵌合で接続し、上下に隣接するサンドイッチパネル１同士は縦断面略Ｚ字状の金属板からなるジョイント部材９で接続されている。なお、このとき係合溝４は、サンドイッチパネル１の左右方向に所定間隔毎に位置し、サンドイッチパネル１の上下に亙ると共に、開口部４ａが屋外側の金属外皮２ａの表面に開口して幅広部４ｂが幅狭部４ｃの奥部で左右に溝幅を広げるようにされた水平断面Ｔ字状になっている。詳しくは、本例の係合溝４は、幅狭部４ｃの溝幅寸法がボルト５の軸部５ｂの外径と略同寸法に形成されると共に、幅広部４ｂの溝幅寸法が六角形状のボルト５の頭部５ａの対向辺間の寸法と略同寸法に形成されており、したがって、ボルト５の頭部５ａが回転不能な状態で幅広部４ｂに挿入係止されると共に、ボルト５の軸部５ｂが幅狭部４ｃを通って開口部４ａから屋外方向に突出されるようにして、ボルト５が係合溝４に直接装着されている。このように断面Ｔ字状に形成された係合溝４は、その断面形状がボルト５の頭部５ａ近傍の断面形状と略同様であるから、係合溝４内にボルト５の頭部５ａを直接係止させるといった簡単な構造でボルト５がサンドイッチパネル１に装着可能にされる。このようにサンドイッチパネル１から屋外側に突出したボルト５の軸部５ｂには、タイル外装材８に取付けられた支持金具１１がナット１６の締結によって固定されている。しかして、タイル外装材８が支持金具１１を介してサンドイッチパネル１に支持され、タイル外装材８がサンドイッチパネル１を屋外側から覆うように配設される。
【００１７】
詳しくは、本例の支持金具１１としては、パネル固定用金具１１ａと外装材固定用金具１１ｂとを係合一体化させたものを用いている。パネル固定用金具１１ａは、サンドイッチパネル１の屋外側表面に添わせて取付ける下地側取付部１２と、下地側取付部１２から延設された上方突起状の被引掛部１３とを有して構成されている。下地側取付部１２には屋内外方向に貫通する貫通孔１５が穿孔されており、サンドイッチパネル１から屋外側に突出されたボルト５の軸部５ｂを貫通孔１５に挿通させてナット１６を締結させることで、サンドイッチパネル１の屋外側にパネル固定用金具１１ａが装着される。また、外装材固定用金具１１ｂは、タイル外装材８に固定される外装材固定部１７と、外装材固定部１７から延設された下方に開口せる凹溝状の引掛部１８とを有して構成されている。タイル外装材８は複数のタイル材８ａを面一状に配設して形成されるのであり、外装材固定部１７をタイル材８ａの上下端面の隙間からタイル外装材８に埋設させることで、外装材固定用金具１１ｂがタイル外装材８に固定されている。また、パネル固定用金具１１ａと外装材固定用金具１１ｂとは、外装材固定用金具１１ｂの引掛部１８をパネル固定用金具１１ａの被引掛部１３に上方から引掛け係合させることで係合一体化されており、これにより、タイル外装材８は支持金具１１を介して貼付下地材１０としてのサンドイッチパネル１に支持されている。なお、支持金具１１としてはこれに限らず他の構造のものを用いてもよい。
【００１８】
このように本例のサンドイッチパネル１にあっては、ボルト５とナット１６との結合という一般的な機械的な接合構造によって、サンドイッチパネル１の厚み方向から支持金具１１をサンドイッチパネル１に接合できたものであり、これによりタイル外装材８をサンドイッチパネル１に支持させて配設でき、サンドイッチパネル１をタイル外装材８の貼付下地材１０として好適に用いることができたものである。このとき、サンドイッチパネル１は壁下地４５の屋外側に添って配設されているために外壁の外断熱材としても機能している。なお、サンドイッチパネル１に装着されたボルト５にあっては、サンドイッチパネル１の上下に亙る係合溝４の溝長さ方向（上下方向）にスライド自在にされているので、タイル外装材８の上下の任意位置に固定した支持金具１１であっても確実にサンドイッチパネル１に接合可能にされているのである。
【００１９】
以下、本発明の実施の形態の他例を列挙するが、これらの説明において、先の例と同様部位には同符合を付して説明を省くものとし、先の例と異なる部位につき説明をしていくものとする。
【００２０】
図３乃至図５には本発明の実施の形態の他例を示す。本例は、係合溝４の形状を開口部４ａから連通した幅狭部４ｃの奥部で一側方に溝幅が広がる幅広部４ｂを連設してなる断面Ｌ字状に形成し、このサンドイッチパネル１をタイル外装材８の貼付下地材１０として用いた例である。
【００２１】
本例では、図４のように、壁下地４５に添わせて立設したサンドイッチパネル１は、上下に並設したサンドイッチパネル１を凹凸嵌合で接続させている。つまり、サンドイッチパネル１は、下端面に嵌合凸部６が位置されると共に上端面に嵌合凹部７が位置されるように立設されている。なお、本例のサンドイッチパネル１では、嵌合凸部６のあるサンドイッチパネル１の下端面の屋外側には覆い部２２が形成されている。この覆い部２２は、凹凸嵌合状態で嵌合凸部６を内包する下方のサンドイッチパネル１の嵌合凹部７を屋外側から被覆するものである。また、覆い部２２にて覆われる嵌合凹部７の屋外側の面には、サンドイッチパネル１の厚み方向にビスや釘またはボルトなどの固定具２３を打入したとき、固定具２３の頭部が収納可能にされる収納凹所２４が形成されている。また、上記のようにサンドイッチパネル１を立設した状態では、係合溝４は開口部４ａが屋外側の金属外皮２ａに開口して幅広部４ｂが溝幅を上方に向けて広げたような縦断面Ｌ字状にされている。この係合溝４に装着したボルト５の軸部５ｂはサンドイッチパネル１の屋外側に突出されるのであるが、本例では図３のようにボルト５の係合溝４への装着は係止部材３９を介して行われている。
【００２２】
ここで、係止部材３９は、図５のように、係合溝４の幅広部４ｂに挿入する基部４０の下部から係合溝４の幅狭部４ｃに挿入される突部４１を屋外側に略水平に突設してなる縦断面Ｌ字状の樹脂製のブロック体であり、ボルト５の軸部５ｂが挿通される貫通孔４２が突部４１及び基部４０を貫通して略水平に穿孔され、基部４０の屋内側端面には貫通孔４２が開口してボルト５の頭部部分５ａ１が回転不能に収納される収納凹所４３が形成されている。つまり、係止部材３９をボルト５に取着したときには、ボルト５の頭部部分５ａ１が収納凹所４３に収納されて基部４０にて包込むようにされ、この基部４０がボルト５の頭部５ａを構成するようになっている。ボルト５及び係止部材３９を係合溝４に溝長さ方向にスライド自在に係止させたときには、貫通孔４２を通り抜けたボルト５の軸部５ｂが係合溝４の開口部４ａから金属外皮２の屋外側に突出される。このように樹脂製の係止部材３９を介してボルト５を係合溝４に装着したものは、金属製のボルト５と係合溝４の溝表面を覆う金属外皮２とを直接接触させないようにできて接触による損傷を回避できるという利点が得られると共に、係止部材３９の外面を係合溝４の溝表面に面接触させることでボルト５の係合溝４の溝長さ方向への安定的なスライドが確保できるという利点が得られる。
【００２３】
サンドイッチパネル１をタイル外装材８の貼付下地材１０として用いた本例も、タイル外装材８のサンドイッチパネル１への支持には先の例（図２）と同様の支持金具１１を用いている。そして、本例にあってもボルト５とナット１６との結合という一般的な機械的な接合構造によって、サンドイッチパネル１の厚み方向から支持金具１１をサンドイッチパネル１に接合できたものであり、これによりタイル外装材８がサンドイッチパネル１に支持できて、サンドイッチパネル１をタイル外装材８の貼付下地材１０として好適に用いることができたものである。また、本例のボルト５にあっては、サンドイッチパネル１の左右に亙る係合溝４の溝長さ方向（左右方向）にスライド自在に装着されているので、タイル外装材８の左右の任意位置に固定された支持金具１１が確実にサンドイッチパネル１に接合可能にされているのである。更に言うと、本例では係合溝４が縦断面Ｌ字状にして使用されているので、係合溝４内の下端面（幅広部４ｂの下端面及び幅狭部４ｃの下端面）が面一にされており、つまり係合溝４内に下方に凹没する凹所が形成されないようになっており、したがって、係合溝４内に水が滞留して係合溝４内の金属外皮２が腐食してしまうことが防止され、サンドイッチパネル１をタイル外装材８の貼付下地材１０のような建物の外壁関係の材料として好適に用いることが可能にされているのである。
【００２４】
図６及び図７には本発明の実施の形態の他例を示す。本例は、ＲＣ外断熱工法におけるコンクリート型枠を兼ねた断熱材３２としてサンドイッチパネル１を用いた例である。本例では、サンドイッチパネル１の上下端面に嵌合凸部６や嵌合凹部７を位置させて上下に隣接するサンドイッチパネル１同士を凹凸嵌合で接続するように、サンドイッチパネル１を立設させて使用している。このようにサンドイッチパネル１が立設した状態では、係合溝４は、サンドイッチパネル１の上下方向に所定間隔毎に位置し、サンドイッチパネル１の左右に亙ると共に、開口部４ａが屋内側の金属外皮２ｂの表面に開口して幅広部４ｂが幅狭部４ｃの奥部で上下に溝幅を広げるようにされた縦断面Ｔ字状になっている。しかして、各係合溝４に装着した各ボルト５の軸部５ｂはそれぞれサンドイッチパネル１の屋内側に突出されている。なお、本例ではこのボルト５として別部材の軸部５ｂと頭部５ａとを一体に連結して形成したものを用いている。ボルト５の軸部５ｂは外面に雄ネジが刻設された金属製の棒状部材２５で構成され、ボルト５の頭部５ａは上記棒状部材２５を螺着して係合溝４にスライド自在に係合される樹脂製のブロック体２６で構成される。ブロック体２６は、図７（ｂ）のように、基部２７の上下の中央部から突部２８を屋内側に略水平に突設させてなる縦断面Ｔ字状の部材であり、軸部５ｂを構成する棒状部材２５を螺着させる雌ネジ孔２９が突部２８及び基部２７を貫通して略水平に穿孔されている。このブロック体２６は、突部２８を係合溝４の幅狭部４ｃに位置させて基部２７を係合溝４の幅広部４ｂに係合させることで係合溝４に溝長さ方向にスライド自在に係止されるのであり、そして、このブロック体２６の雌ネジ孔２９に軸部５ｂを構成する棒状部材２５を螺着させることで係合溝４の開口部４ａからボルト５の軸部５ｂが屋内側に突出されているのである。なお、雌ネジ孔２９への棒状部材２５の螺入の程度によってボルト５の軸部５ｂの屋内側への突出の程度が調整できるのは言うまでもない。
【００２５】
具体的に、サンドイッチパネル１をＲＣ外断熱工法におけるコンクリート型枠を兼ねた断熱材３２として用いるには、図６のように行われる。つまり、ＲＣ外断熱工法による建物壁３０はコンクリート壁３１の屋外側に断熱材３２を添設して形成されるのであるが、本例のサンドイッチパネル１は上記断熱材３２を構成するのであり、またコンクリート壁３１の養生時の型枠材としても使用されるのである。コンクリート壁３１を形成するには、基礎などの設置面３３からサンドイッチパネル１と型枠用の板材３４とを隙間をあけて対向して立設し、この隙間にコンクリートを流し込んで養生させるようにして行われる。詳しくは、サンドイッチパネル１の厚み方向に所定の間隔をあけて立設した型枠用の板材３４にあっては、サンドイッチパネル１から屋内側に突出したボルト５の軸部５ｂに挿通され、このボルト５の軸部５ｂにナット１６が締結されたことで、サンドイッチパネル１に一体に接合されている。ここで、係合溝４はサンドイッチパネル１の上下の複数箇所で左右に亙って位置され、ボルト５は各係合溝４の溝長さ方向（左右方向）にスライド自在に係止されているから、上下方向の複数箇所における左右方向の任意位置でボルト５を介して型枠用の板材３４とサンドイッチパネル１とを接合可能にしている。また、サンドイッチパネル１と型枠材との隙間に流し込まれたコンクリートはこの隙間に開口する係合溝４内にも流入するのであり、係合溝４内にコンクリートが充填されて固まることで、サンドイッチパネル１はコンクリート壁３１と一体化されて建物壁３０を形成するのである。このとき、元々断熱性能に優れたサンドイッチパネル１はコンクリート壁３１の屋外側の断熱材として機能するのであり、したがってサンドイッチパネル１はＲＣ外断熱工法による建物壁３０の断熱材３２を構成するのである。なお、サンドイッチパネル１はその表面が金属外皮２で被覆されて耐候性にも優れているから、建物壁３０の外装表面材としても好適に機能するのは言うまでもない。
【００２６】
このように本例のサンドイッチパネル１にあっては、ボルト５とナット１６との結合という一般的な機械的な接合構造によって、サンドイッチパネル１の厚み方向の所定位置に型枠用の板材３４を簡単に配設させてコンクリート壁３１を形成させることができるのであり、しかもコンクリート壁３１の形成後にはサンドイッチパネル１はＲＣ外断熱工法による建物壁３０の断熱材３２を構成するようになり、良好な施工性でＲＣ外断熱工法による建物壁３０を形成することができるのである。つまり、本例のサンドイッチパネル１はＲＣ外断熱工法による建物壁３０に好適に用いることができるのである。
【００２７】
図８には本発明の実施の形態の他例を示す。本例は、サンドイッチパネル１を天井材３５として用いた例である。本例のサンドイッチパネル１は、一対の金属外皮２にそれぞれ係合溝４を凹設し、各係合溝４にそれぞれボルト５を溝長さ方向にスライド自在に係止させ、各ボルト５の軸部５ｂを各係合溝４の開口部４ａから金属外皮２の外方にそれぞれ突出したものである。なお、各係合溝４は先の例（図１）のようにボルト５の頭部５ａを直接係止可能にする略断面Ｔ字状に形成されている。サンドイッチパネル１を天井材３５として用いる場合には、サンドイッチパネル１は一対の金属外皮２を上下方向に向けるように略水平にして使用される。一対の金属外皮２からそれぞれ突出された各ボルト５のうち一方のボルト５をサンドイッチパネル１から上方に突出させて吊り下げ用のボルトとし、その軸部５ｂを構造材である天井梁３７にナット１６を介して接合することで、サンドイッチパネル１を天井梁３７から吊り下げて天井材３５として配設することができるのである。また、他方のボルト５をサンドイッチパネル１から下方に突出させて取付用のボルトとし、その軸部５ｂをサンドイッチパネル１の下面に添設した照明器具３６にナット１６を介して接合することで、サンドイッチパネル１の下面に照明器具３６を取付けることができるのである。ここで、サンドイッチパネル１が備えるいずれのボルト５も係合溝４の溝長さ方向にスライド自在に係止されているので、任意位置にある天井梁３７にサンドイッチパネル１を確実に接合できると共にサンドイッチパネル１に取付場所を選ばすに照明器具３６を取付可能にしている。しかも、照明器具３６を装着するボルト５がスライド自在に係止する断面Ｔ字状の係合溝４にあっては、図８（ｂ）のように、照明器具３６に接続させる給電コード３８を目立たないように収納することもできるといった利点もある。このように、本例のサンドイッチパネル１は、ボルト５とナット１６との結合という一般的な機械的な接合構造によって、サンドイッチパネル１の厚み方向から天井梁３５や照明器具３６を接合場所に自由度を持たせて容易に接合できるのであり、しかして天井材３５に好適に用いることができるのである。
【００２８】
上述した実施の形態の各例のサンドイッチパネル１のように、少なくとも一方の金属外皮２の表面に係合溝４を凹設し、この係合溝４の奥部に開口部４ａよりも幅広の幅広部４ｂを形成し、ボルト５の頭部５ａを係合溝４の幅広部４ｂに溝長さ方向にスライド自在に係止し、ボルト５の軸部５ｂを係合溝４の開口部４ａから金属外皮２の外方に突出させたことで、ボルト５とナット１６との結合という一般的な機械的な接合構造によって、サンドイッチパネル１の厚み方向から外装タイル８（支持金具１１）や型枠材３４や照明器具３６や天井梁３７などの各種部材Ａを接合位置に自由度を持たせてサンドイッチパネル１に容易に接合することができるのであり、つまりサンドイッチパネル１は広範な各種部材Ａを容易に接合可能にするといった良好な汎用性能を備えるものであり、したがって、各例にあるようにサンドイッチパネル１を、外装タイル８の貼付下地材１０として用いたり、ＲＣ外断熱工法におけるコンクリート型枠を兼ねた断熱材３２として用いたり、天井材３５として用いたりできるのであって、つまり用途を広げるように自由な発想でのサンドイッチパネル１の利用が図られているのである。
【図面の簡単な説明】
【００２９】
【図１】本発明の実施の形態の例のサンドイッチパネルの断面斜視図である。
【図２】同上のサンドイッチパネルをタイル外装材の貼付下地材として用いた場合を示し、（ａ）は縦断面図であり、（ｂ）は水平断面図である。
【図３】本発明の実施の形態の他例のサンドイッチパネルの断面斜視図である。
【図４】同上のサンドイッチパネルをタイル外装材の貼付下地材として用いた場合を示し、（ａ）は縦断面図であり、（ｂ）は水平断面図である。
【図５】同上の係止部材にボルトを係止させた状態を示し、（ａ）は斜視図であり、（ｂ）は正面図であり、（ｃ）は縦断面図である。
【図６】本発明の実施の形態の更に他例のサンドイッチパネルをＲＣ外断熱工法における断熱材として用いた場合を示す縦断面図である。
【図７】（ａ）は図６のＢ部分の拡大図であり、（ｂ）はブロック体の斜視図である。
【図８】本発明の実施の形態の更に他例のサンドイッチパネルを天井材として用いた場合を示し、（ａ）は側面図であり、（ｂ）は斜視図である。
【図９】背景技術の例を示し、（ａ）は斜視図であり、（ｂ）は縦断面図である。
【図１０】背景技術の他例の縦断面図である。
【符号の説明】
【００３０】
１  サンドイッチパネル
２  金属外皮
３  芯材
４  係合溝
４ａ  開口部
４ｂ  幅広部
４ｃ  幅狭部
５  ボルト
５ａ  頭部
５ｂ  軸部
Ａ  各種部材
【図１】
2006009320.tif 000003
【図２】
2006009320.tif 000004
【図３】
2006009320.tif 000005
【図４】
2006009320.tif 000006
【図５】
2006009320.tif 000007
【図６】
2006009320.tif 000008
【図７】
2006009320.tif 000009
【図８】
2006009320.tif 000010
【図９】
2006009320.tif 000011
【図１０】
2006009320.tif 000012